(57)【要約】【課題】  自動車の屋根に取り付ける屋外日よけ装置の提供。【解決手段】  自動スクリーン装置、及び複数の支持フレーム、及びこれら支持フレームと接合可能な複数の調整式吸盤装置で構成されている。該支持フレームは、その二側の上面にそれぞれ長孔が開設され、該長孔は該吸盤装置を該長孔内で移動調整可能に取り付けるのに供される。該支持フレームの二側のフレーム体内壁に一対の相互に対応する垂直な框板が一体に形成されている。及び、該支持フレームの中央上面に突出する支持ブロックが形成され、該支持ブロックの二側の角部に二つの係止溝が形成されている。以上で構成された自動車の屋根に取り付ける屋外日よけ装置は、簡単で便利に組立が完成し、工具を使用せずに組立と取り付けを完成できることを特徴としている。【選択図】        図２
2005059746.tif 000002
【特許請求の範囲】
【請求項１】
自動スクリーン装置、及び複数の支持フレーム、及びこれら支持フレームと接合可能な複数の調整式の吸盤装置で構成され、
上述の吸盤装置は、緩衝バネ、及びワッシャと長いボルトのほか、
上部の中央部分に固定ベースが一体に形成され、該固定ベースの上部表面に内凹円弧状の円形の浅い滑り溝が形成され、該固定ベースの中央の軸部に一体に突出スリーブが嵌め止めされた吸盤と、
中央部分に円形の内凹状のスライドブロックが形成され、このスライドブロックが上述の固定ベースの上部表面に形成された円形の浅い滑り溝と相互に対応し、上面の二側辺縁部分にそれぞれ挿入用の翼片が設けられた移動調整可能なスライド板と、
底面に突出するディスク状のブロック体が形成され、このブロック体が上述のスライド板の円形の内凹状のスライドブロックと相互に対応する円形スライドブロックと、
を具えた自動車の屋根に取り付ける屋外日よけ装置において、
上記支持フレームの上面の二側に長孔が形成され、
該支持フレームの二側の框体内壁に一体に一対の相互に対応する垂直框板が形成され、  該支持フレームの上面中央に、突出する支持ブロックが一体に形成され、該支持ブロックの二側の角部に二つの係止溝が形成され、
工具不要で簡単便利に組立が完成することを特徴とする、自動車の屋根に取り付ける屋外日よけ装置。
【請求項２】
請求項１記載の自動車の屋根に取り付ける屋外日よけ装置において、支持フレームの二側の框体内壁に形成された一対の垂直框板の底部の内側に向いた壁に相互に対応する長い框溝が開設され、この二つの長い框溝が上述のスライド板の二側に形成された翼片の挿入に供されることを特徴とする、自動車の屋根に取り付ける屋外日よけ装置。
【請求項３】
請求項１記載の自動車の屋根に取り付ける屋外日よけ装置において、支持フレームに別に挟持板が設けられ、該挟持板の二側端が切削されて直角案内片が形成され、この二つの直角案内片が上述の二つの長い框溝の底部の壁に沿ってスライドすることを特徴とする、自動車の屋根に取り付ける屋外日よけ装置。
【請求項４】
請求項１記載の自動車の屋根に取り付ける屋外日よけ装置において、支持フレームの上面中央の形成された突出する支持ブロックの上部が係止板ブロックで被覆されたことを特徴とする、自動車の屋根に取り付ける屋外日よけ装置。
【請求項５】
請求項４記載の自動車の屋根に取り付ける屋外日よけ装置において、係止板ブロックの長さが突出する支持ブロックの長さより長いことを特徴とする、自動車の屋根に取り付ける屋外日よけ装置。
【請求項６】
請求項４記載の自動車の屋根に取り付ける屋外日よけ装置において、係止板ブロックの底面の二側の角部に係止突起が凸設され、この二つの係止突起が支持ブロックの二側の角部に形成された係止溝に対応することを特徴とする、自動車の屋根に取り付ける屋外日よけ装置。
【請求項７】
請求項４記載の自動車の屋根に取り付ける屋外日よけ装置において、係止板ブロックの板面の長いほうの二側の角部に係止凸角が形成されたことを特徴とする、自動車の屋根に取り付ける屋外日よけ装置。
【請求項８】
請求項１記載の自動車の屋根に取り付ける屋外日よけ装置において、支持フレームの上面中央に形成された突出する支持ブロックの二側に二つの円凹溝が開設され、該円凹溝に押さえ用のスライドピンと弾性パッキングが収容され、該弾性パッキングが可動式にスライドピンの本体に套設されたことを特徴とする、自動車の屋根に取り付ける屋外日よけ装置。
【発明の詳細な説明】
【技術分野】
【０００１】
本発明は自動車の屋根に取り付ける屋外日よけ装置に係り、特に、簡単に随時自動車の屋根に取り付けて使用され、キャンプやレジャー活動時の日よけに供される装置に関する。
【背景技術】
【０００２】
レジャーシーズンが到来すると、家族や友人と郊外にドライブに出かけ、風景を楽しんだり、釣りやキャンプ等のレジャー活動を行ない、日常のストレスを発散することが盛んに行なわれている。しかし、一般に郊外では建物の提供する日陰が少なく、ゆえに炎天下で屋外活動をする時、暑さのために楽しめないことがある。このため自動車に日よけ設備が配備されていれば、このような郊外での屋外活動時に日よけ設備がないことによる不便さを克服できる。
【０００３】
しかし市販されている屋外用の日よけ設備は車の屋根に取り付ける場合、各種の工具とネジがなければ日よけ装置の四つの固定装置を屋根の辺縁（導水溝等）に固定できない。さらに、重い日よけ装置をこの四組の固定装置にネジ止めしなければ、日よけ装置の取り付けが行なえない。このような手続きは明らかに煩瑣で面倒である。且つ日よけ装置を屋根に一旦取り付けた後では、随時取り外すことはできず、ゆえに車主は日よけ装置を使用しない時にも、日よけ装置を固定したまま運転しなければならず、これは外観が悪いほか、日よけ装置が取り外されずに日照や雨風にさらされるためその使用寿命が短くなる。このほか、日よけ装置取り付け後に昇降式の機械式駐車場に停車する時、日よけ装置の高さのために進入不能となることがあり、その時には日よけ装置を取り外さねば進入できないが、これには適当な工具を使用する必要があり、また手間がかかり、非常に不便である。
【０００４】
本発明者はすでに図１に示されるような車の屋根への取り付け専用の日よけ装置を提供している。それは、二つの長い金属フレーム２０の上に跨設された自動スクリーン装置１０、及び、自動車の屋根に吸着する四つの吸盤装置３０で組成されている。このような屋外用の日よけ装置は、周知の自動車の屋根に取り付ける屋外日よけ装置の取り付けと使用上の不便を解消し、且つこのような日よけ装置の採用する吸盤装置３０は３６０度の角度調整能力を有し、自動車の屋根にアンテナ、荷物用運搬台或いはランプカバー等が取り付けられている場合にも対応できるほか、屋根の板金の円弧の差が大きくて取り付けにくい場合にも対応し、さらにバンの屋根に凸条が凸設されていて取り付けにくい場合にも対応し、進歩性と実用性を兼ね備えている。
【発明の開示】
【発明が解決しようとする課題】
【０００５】
しかし、本発明者が更なる改善のために研究を重ねた結果、この日よけ装置はその自動スクリーン装置１０を二つの長い金属フレーム２０に跨設して一体に車の屋根に取り付ける時に、ネジ２１を固定板２２、及び長い金属フレーム２０の貫通孔２３に通し、長い金属フレーム２０の底部よりナット２４で固定し、これにより固定板２２を長い金属フレーム２０と結合させ、さらに固定板２２を自動スクリーン装置１０の底部の框溝１１内に挿入し、ナット２４で固定し、これにより自動スクリーン装置１０を二つの長い金属フレーム２０に架設して組立を完成する必要があるため、このような組立は難しくはないが、商品全体及び消費者の操作の便利さの点から、更に簡単となしうる余地があることが分かった。
【課題を解決するための手段】
【０００６】
請求項１の発明は、自動スクリーン装置、及び複数の支持フレーム、及びこれら支持フレームと接合可能な複数の調整式の吸盤装置で構成され、
上述の吸盤装置は、緩衝バネ、及びワッシャと長いボルトのほか、
上部の中央部分に固定ベースが一体に形成され、該固定ベースの上部表面に内凹円弧状の円形の浅い滑り溝が形成され、該固定ベースの中央の軸部に一体に突出スリーブが嵌め止めされた吸盤と、
中央部分に円形の内凹状のスライドブロックが形成され、このスライドブロックが上述の固定ベースの上部表面に形成された円形の浅い滑り溝と相互に対応し、上面の二側辺縁部分にそれぞれ挿入用の翼片が設けられた移動調整可能なスライド板と、
底面に突出するディスク状のブロック体が形成され、このブロック体が上述のスライド板の円形の内凹状のスライドブロックと相互に対応する円形スライドブロックと、
を具えた自動車の屋根に取り付ける屋外日よけ装置において、
上記支持フレームの上面の二側に長孔が形成され、
該支持フレームの二側の框体内壁に一体に一対の相互に対応する垂直框板が形成され、  該支持フレームの上面中央に、突出する支持ブロックが一体に形成され、該支持ブロックの二側の角部に二つの係止溝が形成され、
工具不要で簡単便利に組立が完成することを特徴とする、自動車の屋根に取り付ける屋外日よけ装置としている。
請求項２の発明は、請求項１記載の自動車の屋根に取り付ける屋外日よけ装置において、支持フレームの二側の框体内壁に形成された一対の垂直框板の底部の内側に向いた壁に相互に対応する長い框溝が開設され、この二つの長い框溝が上述のスライド板の二側に形成された翼片の挿入に供されることを特徴とする、自動車の屋根に取り付ける屋外日よけ装置としている。
請求項３の発明は、請求項１記載の自動車の屋根に取り付ける屋外日よけ装置において、支持フレームに別に挟持板が設けられ、該挟持板の二側端が切削されて直角案内片が形成され、この二つの直角案内片が上述の二つの長い框溝の底部の壁に沿ってスライドすることを特徴とする、自動車の屋根に取り付ける屋外日よけ装置としている。
請求項４の発明は、請求項１記載の自動車の屋根に取り付ける屋外日よけ装置において、支持フレームの上面中央の形成された突出する支持ブロックの上部が係止板ブロックで被覆されたことを特徴とする、自動車の屋根に取り付ける屋外日よけ装置としている。
請求項５の発明は、請求項４記載の自動車の屋根に取り付ける屋外日よけ装置において、係止板ブロックの長さが突出する支持ブロックの長さより長いことを特徴とする、自動車の屋根に取り付ける屋外日よけ装置としている。
請求項６の発明は、請求項４記載の自動車の屋根に取り付ける屋外日よけ装置において、係止板ブロックの底面の二側の角部に係止突起が凸設され、この二つの係止突起が支持ブロックの二側の角部に形成された係止溝に対応することを特徴とする、自動車の屋根に取り付ける屋外日よけ装置としている。
請求項７の発明は、請求項４記載の自動車の屋根に取り付ける屋外日よけ装置において、係止板ブロックの板面の長いほうの二側の角部に係止凸角が形成されたことを特徴とする、自動車の屋根に取り付ける屋外日よけ装置としている。
請求項８の発明は、請求項１記載の自動車の屋根に取り付ける屋外日よけ装置において、支持フレームの上面中央に形成された突出する支持ブロックの二側に二つの円凹溝が開設され、該円凹溝に押さえ用のスライドピンと弾性パッキングが収容され、該弾性パッキングが可動式にスライドピンの本体に套設されたことを特徴とする、自動車の屋根に取り付ける屋外日よけ装置としている。
【発明の効果】
【０００７】
本発明の自動車の屋根に取り付ける屋外日よけ装置は簡単な構造でありながら、簡単且つ随意に架設できる効果を達成し、実用性と進歩性を有し、特許の要件に符合する。
【発明を実施するための最良の形態】
【０００８】
本発明は一種の自動車の屋根に取り付ける屋外日よけ装置を提供する。それは、自動スクリーン装置、及び複数の支持フレーム、及びこれら支持フレームと接合可能な複数の調整式吸盤装置で構成されている。該支持フレームは、その二側の上面にそれぞれ長孔が開設され、該長孔は該吸盤装置を該長孔内で移動調整可能に取り付けるのに供される。該支持フレームの二側のフレーム体内壁に一対の相互に対応する垂直な框板が一体に形成されている。及び、該支持フレームの中央上面に突出する支持ブロックが形成され、該支持ブロックの二側の角部に二つの係止溝が形成されている。以上で構成された自動車の屋根に取り付ける屋外日よけ装置は、簡単で便利に組立が完成し、工具を使用せずに組立と取り付けを完成できることを特徴としている。
【実施例１】
【０００９】
図２、３、４及び図５は本発明の自動車の屋根に取り付ける屋外日よけ装置を示す。それは、自動スクリーン装置１０、及び複数（本実施例では二つ）の支持フレーム４０、及びこれら支持フレーム４０と接合可能な複数（本実施例では２対で合計４つ）の調整式の吸盤装置５０で構成されている。該吸盤装置５０は自動車の屋根に吸着可能であり、自動スクリーン装置１０は二つの支持フレーム４０の上に跨設され、こうして日よけ装置が組み立てられて屋外の日よけに供される。
【００１０】
上述の吸盤装置５０は、吸盤５１、移動調整可能なスライド板５２、底面が凸ディスク状を呈する円形スライドブロック５３、緩衝バネ５４、ワッシャ５５、及びボルト５６で組成されている。
【００１１】
上述の吸盤５１は、その上部の中央部分に固定ベース５１Ａが一体に形成され、該固定ベース５１Ａの上部表面に内凹円弧状の円形の浅い滑り溝５１Ｂが形成されている。該円形の浅い滑り溝５１Ｂは後述のスライド板５２の中央部分に形成された円形内凹状のスライドブロック５２Ａと相互に対応する。上述の吸盤上部に形成された固定ベース５１Ａは、その中央の軸部に一体に突出スリーブ５１Ｃが嵌め止めされ、この突出スリーブ５１Ｃの筒内部に雌ネジ５１Ｄが形成され、上述のボルト５６のねじ込みに供される。
【００１２】
図３、４、５及び図７に示されるように、突出スリーブ５１Ｃはスライド板５２の中央に開設された長孔５２Ｂ、及び円形スライドブロック５３の中央に開設された軸孔５３Ａ、及び緩衝バネ５４を通り、該突出スリーブ５１Ｃの上端がワッシャ５５の底部に当接している。
【００１３】
図示されるように、本発明では移動調整可能なスライド板５２が設けられ、その中央部分には円形の内凹状のスライドブロック５２Ａが形成され、該スライドブロック５２Ａが上述の固定ベース５１Ａの上部表面に形成された円形の浅い滑り溝５１Ｂと相互に対応し、これにより該スライドブロック５２Ａが該円形の浅い滑り溝５１Ｂ上で３６０度の回転自在とされ、これによりスライド板５２と吸盤５１の間で任意の角度に水平位置調整が可能とされている。また、上述のスライド板５２の中央部分に形成された円形の内凹状のスライドブロック５２Ａには長孔５２Ｂが開設され、この長孔５２Ｂを前述の突出スリーブ５１Ｃが貫通し、これによりスライド板５２が該長孔５２Ｂの軸方向に沿ってスライド可能とされている。
【００１４】
上述の本発明の円形スライドブロック５３は、その底面に凸ディスク状のブロック体５３Ｂが形成され、このブロック体５３Ｂが上述のスライド板５２の円形の内凹状のスライドブロック５２Ａと相互に対応し、該円形スライドブロック５３が該円形の内凹状のスライドブロック５２Ａの内部に放置される。また、該円形スライドブロック５３の中央に軸孔５３Ａが開設され、該軸孔に上述の固定ベース５１Ａに設けられた突出スリーブ５１Ｃが通される。
【００１５】
図示されるように、本発明の吸盤５１の上部の固定ベース５１Ａに設けられた突出スリーブ５１Ｃは、スライド板５２の中央に開設された長孔５２Ｂ、及び円形スライドブロック５３の中央に開設された軸孔５３Ａ、及び緩衝バネ５４を通った後に、上端がワッシャ５５の底部に当接し、この時、ボルト５６が突出スリーブ５１Ｃの雌ネジ５１Ｄにねじ込まれ、上述の緩衝バネ５４の弾性により、スライド板５２及び円形スライドブロック５３の間に緩衝支持の作用が形成され、これによりスライド板５２が突出スリーブ５１Ｃを中心として３６０度の回転運動可能とされ、さらにスライド板５２が長孔５２Ｂの軸方向に沿ってスライド可能とされる。これにより本発明の吸盤５１が異なるタイプの車の屋根に吸着する時、使用者が随意に最適な角度及び位置に調整できる。
【００１６】
図３、４、５、６及び図７に示されるように、位置調整可能なスライド板５２は、その上面の二側辺縁部分にそれぞれ挿入用の翼片５２Ｃが設けられ、この二つの翼片５２Ｃが本発明の後述する支持フレーム４０に開設された二つの長い框溝４１の内部に挿入され、これによりスライド板５２がこの二つの框溝４１内部で左右方向のスライド可能とされ、吸盤装置５０の移動の調整が達成される。このほか、上述のスライド板５２の上面に貫通孔５２Ｄが開設され、上述の二つの翼片５２Ｃが支持フレーム４０に設けられた二つの框溝４１内部に挿入された後、ボルト５７が下から上に支持フレーム４０に別に設けられた挟持板５８、及び該スライド板５２の貫通孔５２Ｄに通され、さらに該ボルト５７が別に支持フレーム４０に開設され長孔４２に設けられたノブ５９及びナット５９Ａと緊密に螺合される。
【００１７】
図３及び図６に示されるように、上述の支持フレーム４０に別に設けられた挟持板５８は、その二側が切削されて直角案内片５８Ａが形成され、この二つの直角案内片５８Ａは支持フレーム４０の二つの框溝４１の底部壁に沿ってスライド可能で、スライド板５２及び吸盤装置５０を固定したい時は、使用者はノブ５９を回して挟持板５８を上に移動させてスライド板５２を緊密に框溝４１に挟持し、固定の目的を達成する。使用者が吸盤装置５０を移動調整したい時は、ノブ５９をゆるめれば吸盤装置５０を後述の支持フレーム４０の二側の上面に開設された長孔４２内で左右に移動させることができる。本発明の二つの吸盤装置５０は随意に支持フレーム４０の二つの長孔４２の範囲内で左右に移動調整可能で、ゆえに自動車の屋根に障害物や凸条があったり、或いは屋根の板金円弧の差が比較的大きいときも、本発明の吸盤装置５０は簡単な位置調整により吸着可能で速やかに取り付けることができ、非常に便利で、且つ工具不要で取り付けを達成できる。
【００１８】
図２から図７に示されるように、本発明の支持フレーム４０に自動スクリーン装置１０が跨設され、これにより日よけ装置の組立が完成し、屋外での日よけに供される。これらの支持フレーム４０の上面の二側に、それぞれ長孔４２が開設されて、上述のノブ５９が挿入され、吸盤装置５０を長孔４２の横向きの範囲内で左右に移動調整するのに供される。図示されるように、支持フレーム４０の二側の框体内壁に一体に一対の相互に対応する垂直框板４３が設けられ、この一対の垂直框板４３の底部の内に向いた面に、相互に対応する長い框溝４１が開設され、この２本の相互に対応する框溝４１に上述のスライド板５２の二側に形成された翼片５２Ｃが挿入され、これによりスライド板５２がこの二つの框溝４１内部で左右方向のスライド可能とされる。
【００１９】
図３、４、５に示されるように、本発明の支持フレーム４０の上面中央に、一体に突出する支持ブロック４４が設けられ、該支持ブロック４４の上部が長さが該支持ブロック４４よりも長い係止板ブロック４５で被覆され、該係止板ブロック４５の底面の二側の角部に二つの係止突起４５Ａが凸設され、二つの係止突起４５Ａと支持ブロック４４の二側の角部に形成された二つの係止溝４４Ａが相互に対応し、係止板ブロック４５が支持ブロック４４の上を被覆する時、係止突起４５Ａが支持ブロック４４の二つの係止溝４４Ａ内に係止され、さらに別に設けられたノブ４６Ａ及びボルト４６Ｂで係止板ブロック４５が支持ブロック４４の上にネジ止めされて一体に結合され、脱落が防止される。
【００２０】
上述の係止板ブロック４５の長さは支持ブロック４４の長さより長く、ゆえに、該係止板ブロック４５の長い上面の二側４５Ｂは支持ブロック４４の外部に延伸され、これにより係止板ブロック４５の上面の二側が支持フレーム４０の上面の中央と二つの空間を自然に形成し、これにより係止板ブロック４５の上面の二側４５Ｂが順調に自動スクリーン装置１０底部に開設された二つの框溝１１に挿入される。図２、４、及び図５に示されるように、本発明の支持フレーム４０に自動スクリーン装置１０を組み付ける時は、支持フレーム４０を自動スクリーン装置１０と同じ平行軸方向として進行でき、係止板ブロック４５の長さが短い（即ち幅）ほうの板面を先に上述の框溝１１の位置に置き入れ、さらに逆時計方向に支持フレーム４０を回して９０度の位置とし、これにより支持フレーム４０と自動スクリーン装置１０を相互に垂直な設置状態となす。この時、係止板ブロック４５の板面の長いほうの二側４５Ｂの二端の角部に凸設された二つの係止凸角４５Ｃが緊密に框溝１１内壁に係止され、スライド不能となり、これにより自動スクリーン装置１０が支持フレーム４０の上に組み付けられ、こうして簡単且つ便利に、如何なる工具も必要とせずに組立が完成する。これにより車主が随時随所で取り外しと取り付けが行なえ、非常に便利である。
【００２１】
図示されるように、本発明の上述の支持ブロック４４の二側に二つの円凹溝４７が設けられ、該円凹溝４７は押さえ用のスライドピン４８Ａと弾性パッキング４８Ｂを収容できる。該弾性パッキング４８Ｂは可動式にスライドピン４８Ａの本体に套設され、下方のＥ形挟持片４９によりスライドピン４８Ａ及び弾性パッキング４８Ｂが円凹溝４７内に枢設される時、弾性パッキング４８Ｂがその弾力によりスライドピン４８Ａを上向きに支持し、ゆえに係止板ブロック４５の上面の二側４５Ｂが自動スクリーン装置１０底部の二つの框溝１１内に挿入された後、前述したように係止板ブロック４５に凸設された二つの係止凸角４５Ｃの係止固定のほか、これらスライドピン４８Ａ及び弾性パッキング４８Ｂの弾力支持作用により、スライドピン４８Ａが框溝１１底部の壁と緊密な圧接の挟持固定を行ない、これにより自動スクリーン装置１０と支持フレーム４０の間の固定が更に緊密となる。
【図面の簡単な説明】
【００２２】
【図１】周知の日よけ装置の組立図である。
【図２】本発明の日よけ装置の組立図である。
【図３】本発明の支持フレーム及び調整式の吸盤装置の分解図である。
【図４】本発明の支持フレームの平面図である。
【図５】図４のＡ−Ａ断面図である。
【図６】図４のＢ−Ｂ断面図である。
【図７】図４のＣ−Ｃ断面図である。
【符号の説明】
【００２３】
１０  自動スクリーン装置            １１  框溝          ２０  長い金属フレーム
２１  ネジ              ２２  固定板                    ２３  貫通孔
２４  ボルト            ３０  吸盤装置                  ４０  支持フレーム
４１  框溝              ４２  長孔                      ４３  垂直框板
４４  支持ブロック      ４４Ａ  係止溝                  ４５  係止板ブロック
４５Ａ  係止突起        ４５Ｂ  上面の二側              ４５Ｃ  係止凸角
４６Ａ  ノブ            ４６Ｂ  ボルト                  ４７  円凹溝
４８Ａ  スライドピン    ４８Ｂ  弾性パッキング          ４９  Ｅ形挟持片
５０  吸盤装置          ５１  吸盤
５１Ａ  固定ベース      ５１Ｂ  滑り溝                  ５１Ｄ  雌ネジ
５１Ｃ  突出スリーブ    ５２  スライド板                ５２Ｂ  長孔
５２Ａ  スライドブロック                                ５２Ｃ  翼片
５２Ｄ  貫通孔          ５３  スライドブロック          ５３Ａ  軸孔
５３Ｂ  ブロック体      ５４  緩衝バネ                  ５５  ワッシャ
５６  ボルト            ５７  ボルト                    ５８  挟持板
５８Ａ  直角案内片      ５９  ノブ                      ５９Ａ  ナット
【図１】
2005059746.tif 000003
【図２】
2005059746.tif 000004
【図３】
2005059746.tif 000005
【図４】
2005059746.tif 000006
【図５】
2005059746.tif 000007
【図６】
2005059746.tif 000008
【図７】
2005059746.tif 000009